【事件の表示】
　商願２０１１−６０２０２拒絶査定不服審判事件について、次のとおり審決する。
【結　論】
　原査定を取り消す。
　本願商標は、登録すべきものとする。
【理　由】
第１　本願商標
　本願商標は、「ＳＰ−７００」の欧文字及び数字を標準文字で表してなり、第６類に属する商品を指定商品として、平成２３年８月２３日に登録出願され、その後、指定商品については、原審における同２４年２月２９日付け及び当審における同２５年１月１７日付けの手続補正書により、最終的に、第６類「チタン合金」と補正されたものである。
　
第２　原査定の拒絶の理由の要点
　原査定は、「本願商標は、『ＳＰ−７００』と横書きしてなるところ、本願の指定商品を取り扱う産業分野においては、それぞれの自己の業務に係る各種商品について、その商品の管理又は取引の便宜性等の事情から、ローマ字の１字又は２字とアラビア数字とを『−』（ハイフン）で結合した標章が特定の商品の品番、型式又は規格等を表示するための記号又は符号として、取引において普通に使用されていることからすると、本願商標は、ローマ字の２字『ＳＰ』とアラビア数字の３字『７００』とを『−』（ハイフン）で結合させたものであって、一般に用いられる書体で横書きし、その文字の形や組合せ方法に特徴がないものであり、本願商標をその指定商品について使用しても、これに接する取引者・需要者は、商品の品番、型式又は規格等を表示するための記号又は符号の一類型を表示したものと理解するにとどまり、自他商品の識別標識とは認識し得ないものというべきであるから、本願商標は、極めて簡単で、かつ、ありふれた標章のみからなる商標と認める。したがって、本願商標は、商標法第３条第１項第５号に該当する。」旨認定、判断し、本願を拒絶したものである。
　
第３　当審の判断
１　商標法第３条第１項第５号該当性について
　本願商標は、「ＳＰ」の欧文字２字とアラビア数字の「７００」とを「−」（ハイフン）を介して「ＳＰ−７００」と標準文字で表してなるところ、本願の指定商品を取り扱う業界において、自己の業務に係る各種商品について、その商品の管理又は取引の便宜性等によって、原審が示すとおり、例えば、「ＳＴ−４０、ＳＴ−５０」等のように、欧文字の２字とアラビア数字とを「−」（ハイフン）で結合した標章等が、一般に商品の規格、型式又は品番等を表示するための記号、符号として、類型的に採択、使用されている実情がある。
　そうすると、本願商標は、「ＳＰ−７００」の欧文字及び数字を、普通に用いられる方法で表示するものであるから、本願商標をその指定商品について使用した場合、これに接する取引者、需要者は、商品の規格、型式又は品番等を表示するための記号又は符号の一類型を表示したものと理解するにとどまり、自他商品の識別標識とは認識し得ないものというべきであるから、これは、極めて簡単で、かつ、ありふれた標章のみからなる商標と認めるのが相当である。
　したがって、本願商標は、商標法第３条第１項第５号に該当する。
　
２　商標法第３条第２項該当性について
（１）請求人は、本願商標は、永年にわたる使用の結果、その指定商品について、取引者、需要者間において広く知られているものであるから、商標法第３条第２項が適用されるものである旨主張し、証拠方法として甲第１号証ないし甲第４５号証（枝番を含む。）を提出している（以下において、枝番のすべてを引用する場合は、その枝番の記載を省略する。）。
（２）請求人の提出に係る甲各号証によれば、「ＳＰ−７００」について次の事実が認められる。
ア　「チタン総合カタログ」の２頁には、「ＪＦＥスチールは・・・１９８５年に厚中板を主力とした製品の製造販売を開始しました。長年鉄鋼製品の製造で培った技術を適用したＪＦＥスチールのチタン製品は、その高い品質でご好評を得ております。またＪＦＥスチールは製品開発・用途開発にも力を注ぎ、新合金ＳＰ−７００を誕生させるなど着実に前進しております。」の記載、１５頁には、「ＪＦＥスチールが開発しました新チタン合金ＳＰ−７００はチタン合金で最も代表的なＴｉ−６Ａｌ−４Ｖ合金に比べ特性的に種々の優位性を持っているため、世界の注目を浴びています。この高強度で加工性の優れたＳＰ−７００を是非お役に立ててください。」の記載、１７頁には、「ＳＰ−７００はその高強度と優れた加工性を活かして、ゴルフクラブヘッド、時計、アイゼンなど身近な分野でも活躍しています。」の記載がある（甲第２号証）。
イ　本願の指定商品を取り扱う事業者を正会員（材料メーカー、大手商社：２２社）又は賛助会員（加工製品メーカー、流通業者：１７２社）とする一般社団法人日本チタン協会が発行する雑誌「チタン」（旧雑誌名、「チタニウム・ジルコニウム」）において、１９９４年以降、２０１２年に至るまで、「ＳＰ−７００　新しいチタン合金の名前です　ＮＫＫ」、「ＪＦＥの技術開発力が生んだ疲労強度や加工性に優れたチタン合金〈ＳＰ−７００〉」などと記載した広告を継続的に掲載している（甲第５号証）。
ウ　アルム出版社が発行する２００６年、２００８年ないし２０１０年の「工業レアメタル」において、「高強度と優れた加工性で世界の注目を浴びる新合金ＳＰ−７００を生みだすなど、一歩先を見すえたチタン製品の開発を着実に進めています。」、「ＪＦＥの技術開発力が生んだ加工性に優れた新合金〈ＳＰ−７００〉」などと記載した広告を掲載している（甲第６号証）。
エ　社団法人日本チタン協会が発行する「チタンの小辞典」の１８頁には、「ＳＰ−７００合金」の項に、「超塑性合金Ｔｉ−４．５Ａｌ−３Ｖ−２Ｆｅ−２Ｍｏ合金の商品名．超塑性加工（ｓｕｐｅｒｐｌａｓｔｉｃ　ｆｏｒｍｉｎｇ）を７００℃で行えることから名づけられた．」の記載がある。また、１１０頁には、「Ｔｉ−４．５Ａｌ−３Ｖ−２Ｆｅ−２Ｍｏ合金」の項に、「わが国で開発された合金で，通称ＳＰ−７００（商品名）」の記載がある（甲第１３号証）。
オ　財団法人日本規格協会が発行する「おはなし科学・技術シリーズ　チタンのおはなし改訂版」の１９６頁に掲載された「表８．１　最近開発された各種チタン合金」中において、「ＳＰ−７００」の記載がある（甲第１４号証）。
カ　「Ｔｅｃｈ−Ｏｎ！」のウェブサイトに２００７年６月６日に掲載された「ＪＦＥスチール，チタン合金『ＳＰ−７００』の出荷累計が１０００ｔを達成」の見出しの記事中に、「ＪＦＥスチールは２００７年６月６日，日本鋼管（現ＪＦＥスチール）が１９９０年に開発したチタン合金『ＳＰ−７００』の製品出荷累計が，１０００ｔに達したと発表した。ＳＰ−７００は，アルミニウム（Ａｌ）を４．５％，バナジウム（Ｖ）を３％，鉄（Ｆｅ）とモリブデン（Ｍｏ）をそれぞれ２％含むチタン合金で，従来のチタン合金『Ｔｉ−６Ａｌ−４Ｖ』と比べて強度が高く，加工性や熱処理性にも優れるのが特徴。航空機やモータースポーツ，ゴルフクラブなどの分野で使われている。」の記載がある（甲第２７号証）。
キ　甲第３１号証ないし甲第３６号証によれば、国内外の２０社以上のゴルフクラブを紹介するウェブサイト中の製品の仕様部分等に、「ＳＰ−７００」又は「ＳＰ７００」の記載がある。
（３）当審における職権調査によっては、本願商標の「ＳＰ−７００」の文字及び数字を、本願の補正後の指定商品「チタン合金」について商標として使用する者は、請求人以外見いだせなかった。
（４）以上からすれば、「ＳＰ−７００」と称するチタン合金は、１９９０年に請求人（当時、日本鋼管株式会社）が独自に開発したものであって、従来のチタン合金より高い強度、加工性を有し、ゴルフクラブヘッド、時計、アイゼンなど身近な分野から航空機やモータースポーツ分野まで広くそれら商品の原材料として用いられているものであり、特に、ゴルフクラブヘッドの素材としては、国内外の２０社以上に採用され、トップシェアを誇るとともに、各社の製品の仕様部分等に「ＳＰ−７００」又は「ＳＰ７００」と記載されている。
　また、請求人は、１９９４年以降今日に至るまで継続して、「チタン合金」の需要者を会員とする一般社団法人日本チタン協会が発行する雑誌「チタン」等において、「ＳＰ−７００」が商標であるとする広告、宣伝を行っており、同協会の発行する「チタンの小辞典」においても、該合金は商品名として記載されているものである。
　そうとすると、本願商標は、請求人によって指定商品の「チタン合金」に使用された結果、同人を出所とする識別標識として、需要者が認識するに至ったものと判断するのが相当である。
　してみれば、本願商標は、商標法第３条第２項の要件を満たすものというべきである。
　
３　結語
　したがって、本願商標は、商標法第３条第１項第５号に該当するものの、同法第３条第２項により商標登録を受けることができるものであるから、原査定は、取消しを免れない。
　その他、本願について拒絶の理由を発見しない。
　よって、結論のとおり審決する。